(57)【要約】【課題】従来のポリゴンミラー、ＭＥＭＳミラーを用いて光走査光学系を形成する場合、良好な光学性能を保ちつつ、偏向角を大きくすることは困難であった。【解決手段】ＭＥＭＳミラーの回転軸上の第１の偏向点で反射した光を光学系により、第１の偏向点と共役で第１の偏向点とは異なる回転軸上の第２の偏向点に導くことにより、光学性能を劣化させずに偏向角を大きくすることが可能になった。【選択図】      図６
2004198500.tif 000002
【特許請求の範囲】
【請求項１】
入射光を反射する反射面と、該反射面と実質的に同一面内にある回転軸を中心に前記反射面を回転させる手段とを有する光走査光学系であって、
前記反射面上の第１の偏向点で偏向された光を、前記反射面上の第２の偏向点に導く光学系を有し、該光学系が、前記第１の偏向点と前記第２の偏向点とが略共役となるように構成されていることを特徴とする光走査光学系。
【発明の詳細な説明】
【０００１】
【発明の属する技術分野】
本発明は、光を走査することにより画像を表示するためのレーザプリンタ、ディスプレイなどの光走査光学系及びこのような走査光学系を用いた画像形成装置に関するものであり、特に半導体プロセスにより作られた微小電気機械デバイス（Ｍｉｃｒｏ  Ｅｌｅｃｔｒｏ  Ｍｅｃｈａｎｉｃａｌ  Ｓｙｓｔｅｍ以下ＭＥＭＳ）を用い、光の走査角を光学的に拡大するような走査光学系に関するものである。
【０００２】
【従来の技術】
これまで、レーザプリンタ、レーザーディスプレイなどの光走査型の画像形成装置では、大偏向角、高速走査が要求されるため、複数の反射面を有する回転体を高速に回転させることが可能なミラー、いわゆるポリゴンミラーが用いられてきた。また、ビームの偏向角を大きくすると被走査点までの距離を小さくすることができるため、光学的に光偏向角を拡大する方法が提案されてきた。
【０００３】
ポリゴンミラーに光学系を付加することで、その偏向角を拡大する技術として、例えば特開平６−３６１６（ポリゴンスキャナ、オリンパス光学工業株式会社）のような技術が開示されている。図１，図２は同従来例の構成を示した図である。ポリゴンミラーに入射した光線を一度光学系を介して再度同じポリゴンミラーの反射面に入射させることで、１つの反射面で偏向される場合よりも偏向角を拡大できるように構成している。
【０００４】
ところで、近年、半導体プロセス技術により作成された微小電気機械システム（ＭＥＭＳ）と呼ばれる技術が注目を集めている。そのなかでも、光走査手段としてＭＥＭＳ技術を用いた光スキャナーが注目を集めている。例えば、特開平０７−１７５００５（日本信号株式会社）の構成例を図３に示す。図３に示した光走査デバイスはシリコン基板に、平板状の可動板と該可動板を揺動可能に軸支するトーションバーとを一体形成したものである。前記可動板の上面周縁部に通電により磁界を発生する平面コイルとその平面コイルで囲まれる上面中央部に全反射ミラーを設けるように構成したものである。平面コイルに磁界を作用させる永久磁石を配置し、前述のコイルに通電することにより、ローレンツ力を発生させミラーを駆動するものである。このミラーを機械的な共振周波数付近で駆動することにより、大きな偏向角を得ることができるものである。こうした共振型の光走査手段は、小型軽量であることから、高速駆動、小駆動エネルギーなどが特徴に成る。しかし、偏向角の大きさは、トーションバーのねじれ角によるものであり、大きな偏向角を得ようとするとトーションバー部分が長くなりデバイスの大型化を招く。また、ビームを偏向する面を大きくする場合、共振周波数を高く保つのが難しく、一般的に、反射面の大きさと偏向角を大きくしていくことは困難である。
【０００５】
こうしたＭＥＭＳデバイスの偏向角を拡大する方法も提案されている。例えば、特開平１１−２５９８８８（偏向装置および光情報記録再生ヘッド：旭光学工業株式会社）のような技術が開示されている。図４は、この技術の構成を示したものである。一般的には、図５に示したように、機械的な偏向角をθとすると光の偏向角は２θになるが、図４に示したようにこの技術は偏向装置は、反射面が所定の方向に回動可能に構成されたガルバノミラーと、ガルバノミラーの反射面に対向して配置された固定ミラーとを備える構成とし、ガルバノミラーに入射した光束が少なくとも一回前記固定ミラーに入射し、前記固定ミラーにより反射された光束が再度前記ガルバノミラーにより反射されるように構成したことで偏向角を拡大しているものである。この結果、図４に示したように４θの偏向角を得ることができる。
【０００６】
【発明が解決しようとする課題】
特開平６−３６１６では、光偏向器がポリゴンミラーであるため、ポリゴンミラーの回転中心と光の偏向点（反射点）が一致していないため、光の偏光点がポリゴンミラーの回転に従ってずれてしまうため、互いに共役関係であるべき点が共役でなくなってしまったり、入射光と偏向光ととの光路の干渉が発生してしまったりと言った光学性能の低下を招いてしまう。
【０００７】
特開平１１−２５９８８８の構成では、確かに機械偏向角θの４倍の偏向角を得られるものの、
１回目と２回目の偏向点が回転軸に垂直な面内方向に異なることから、反射面がトーションバーと垂直な方向（紙面の面内）において大型化してしまう。また、固定鏡と可動鏡の間隔を小さく設定した場合、光路の干渉が起きるため、実質的に振れ角を大きくすることはできなくなってしまう。
【０００８】
そこで、本発明は、光路の干渉等が起きず、偏向角を広くすることが可能な走査光学系、及びそれを用いた画像表示装置を提供することを目的とする。
【０００９】
【課題を解決するための手段】
本発明の光走査光学系は上記の課題を解決するために、入射光を反射する反射面と、該反射面と実質的に同一面内にある回転軸を中心に前記反射面を回転させる手段とを有する光走査光学系であって、前記反射面上の第１の偏向点で偏向された光を、前記反射面上の前記第１の偏向点とは異なる第２の偏向点に導く光学系を有し、該光学系が、前記第１の偏向点と前記第２の偏向点とが略共役となるように構成されていることを特徴としている。
【００１０】
ここで、前記第１の偏向点と前記第２の偏向点とが、前記回転軸の方向にずれた位置であるようにすると良い。また、前記回転軸と垂直な方向に関して同じ位置であるようにすると尚良い。さらに、前記第１の偏向点と前記第２の偏向点とは、実質的に前記回転軸上にあることが好ましい。ここで、前記第１の偏向点及び前記第２の偏向点における光束の中心点が、前記反射面内において有限距離離れていることが望ましい。
【００１１】
また、前記光学系は、前記第１の偏向点と前記第２の偏向点の両者に対して略共役な点（共役点５ａ）を有するようにしても良い。ここで、前記光学系は、前記第１の偏向点と略共役な点を形成する第１の光学系と、前記略共役な点と前記第２の偏向点とを略共役な関係にする第２の光学系とを有するようにすると好ましい。ここで、前記第１の光学系と前記第２の光学系は前記回転軸と垂直な方向に屈折力を有する光学系であると良い。また、前記第１の光学系と前記第２の光学系とは、前記回転軸と垂直な方向にのみ屈折力を有する光学系であっても構わず、それがシリンドリカルレンズで構成されていても良い。
【００１２】
さらに、前記第１の光学系から出射した光を前記第２の光学系に導く反射手段を備えていると尚好ましい。ここで、前記反射手段は１面の反射面から成るようにしても良いし、２面の反射面から成るようにしても良いし、３面以上の反射面から成るようにしても良い。
【００１３】
また、前記反射面が、前記回転軸を中心として、往復回転運動（回転方向に振動する）をするのが望ましい。また前記反射面と前記回転軸とが一体的に構成されているのが好ましい。
【００１４】
また、本発明の画像投影装置は、光源からの光を上述の光走査光学系に導き、該光走査光学系からの光を被投影面上に投影する投影光学系を有することを特徴としている。ここで、光源を複数の色の光を発する光源とし、画像投影装置が色合成光学系を有するようにしても良い。ここで、複数の色の光とは、ＲＧＢの３色の光であることが好ましく、色合成光学系にはクロスダイクロイックプリズムや、色合成面が交差しない３つ或いは４つのプリズムから成る３Ｐプリズム、４Ｐプリズムであっても良い。
【００１５】
また、本発明の画像表示システムは、上述の画像投影装置に画像情報を供給する画像供給手段を有することを特徴としている。
【００１６】
【発明の実施の形態】
（第１実施例）
本発明にかかる第１の実施例を図６に示す。
【００１７】
図６は、本発明にかかる光走査光学系の概要を示す図である。ここでは、簡単のため、入射光７として、コリメート光として記述する。勿論コリメート光以外の光が入射するようにしても構わない。入射光７は、ＭＥＭＳの光走査手段（ＭＥＭＳミラー）１に入射し、第１の偏向点１ａで反射する。反射光線は、第１の光学系３に入射して、第１の光学系を射出した後、反射手段４の２つの反射面４ａ，４ｂを介して、第２の光学系６に入射して、再び光走査手段１に第１の偏光点１ａとは異なる第２の偏向点１ｂに入射し、偏向されて射出光８となる。このように光走査手段１によって光を２回偏向する構成であるため、偏向角を拡大することができる。ここで、前述のＭＥＭＳの光走査手段１は、屈折力を持たない実質的に平面の反射面を有しており（少なくとも前述の偏向点１ａ，１ｂにおいては平面）、回転軸２を軸として回転方向に振動する。この時、回転軸が実質的に反射面内に含まれており、前述の偏向点１ａ及び１ｂは実質的に回転軸上の互いに異なる点であることから、反射面が回転軸を中心に振動したとしても、偏向点１ａ、１ｂの位置は実質的に一定となる。すなわち、偏向点１ａ、１ｂは、実質的に光走査手段の回転軸上にあって、回転軸方向の位置が互いに異なるように構成されている。
【００１８】
本実施例に関しての詳細を説明する。図７の（ａ），（ｂ）は、光走査手段１の回転軸２に垂直な面内とその面に直交する面内の光学的な構成を示したものである。
【００１９】
図７（ａ）で、ます回転軸２に対して垂直な面内の構成を説明する。本図では、説明しやすくするため、光路を展開して示している。入射光７は、光走査手段１に入射して、偏向点１ａに入射する。第１の光学系３は、２つの光学面３ａ，３ｂを有しており、この２つの面は、アフォーカル系を構成するとともに、光偏向手段と略共役な位置５上に、偏向点１ａと共役な共役点５ａという点を構成する。また、第２の光学系６も、２つの光学面６ａ，６ｂ．を有しており、これらは、第１の光学系と同様に、アフォーカル光学系を構成するとともに、５ａと共役な点を光走査手段上に形成している。
【００２０】
第１、第２の光学系とも、等倍のアフォーカル系を構成している。このような構成で、光走査手段がθ傾くと、第１の光学系への入射光は、その２倍の２θ偏向される。さらに第１の光学系、第２の光学系を介して、再び光偏向手段に入射するので、偏向角はその２倍の４θとなる。
【００２１】
図７（ｂ）は、回転軸２を含む平面内での光学的構成を示したものである。第１、第２の光学系は、この面内にも光学的なパワーを有しているため、図示したようにアフォーカル系を形成する。従って、第１の光学系、第２の光学系の中で、３ｃ，６ｃという２つの集光点を形成する。図７（ａ）では、共役関係がわかりやすいように示したが、本実施例の構成では、第１と第２の光学系の間に２つの反射面４ａ，４ｂが形成されており、光路を折り返し、光走査手段１上の２つの偏向点が、有限距離離れるように構成している。図７（ａ）の共役点５ａは、反射面４ａ，４ｂの間に形成される。
【００２２】
光走査手段上で、第１の偏向点と第２の偏向点が共役関係になるように構成することで、光走査手段上の第１の偏向点と第２の偏向点において光が当たる領域を小さくすることができるため、回転軸２に対して垂直な面内における光走査手段１の反射面の大きさを小さくたもつことができる。（光走査手段１の回転軸と垂直な方向の幅を狭くすることができる。）また、反射手段４により、第１の偏向点と第２の偏向点を有限距離離すことができるため、光路の干渉を無くすことができる。
【００２３】
本実施例においては、第１と第２の光学系を別のものにしたが、同じもので構成してもよく、さらに第１と第２の光学系を１体としても良い。また、本実施例においては、第１、第２の光学系を屈折面として記述したが、光学的な条件を満たせば反射面として構成することも可能である。また、本実施例においては、反射手段４を２つの反射面４ａ，４ｂにより構成したが、１つの反射面で構成しても良いし、３つ以上の反射面で構成しても良い。また、第１の光学系と第２の光学系は共に等倍アフォーカル系としたが、特に等倍には限らない。
【００２４】
本構成により、光走査手段１により光を１次元に偏向することが可能である。
【００２５】
ここで、第１の実施例においては、光走査手段により光を２回偏向しているが、光走査手段による偏向回数は２回に限らず、３回以上でも構わない。この際、光が光走査手段に入射する角度が互いに異なるように構成する必要がある。また、３回以上の場合は、第１の光学系、第２の光学系、反射手段と言った構成要素をさらに加える必要がある。
【００２６】
このように光走査手段がある１つの軸を中心として、往復回転運動するＭＥＭＳの走査手段とし、１つの軸を中心として回転する（回転方向に振動する）デバイスであるため、第１偏向点と第２偏向点との光学的な共役関係を良好に保つことができ、光走査手段自身を大型化することなく振れ角の拡大を達成することができるという効果が得られる。
【００２７】
（第２の実施例）
本発明にかかる第２の実施例を図８に示す。
【００２８】
図８、図９は、本発明にかかる光走査光学系の概要を示す図である。図６，７と同付番のものは、同様の機能を表すものであり、説明は省略する。
【００２９】
本実施例においては、構成は第１の実施例とほぼ同じであるが、第１と第２の光学系が、回転軸２に垂直な面内においてのみ光学的なパワーを有するシリンドリカル光学系である点が異なる。
【００３０】
本実施例について詳細に説明する。図９の（ａ），（ｂ）は、光走査手段１の回転軸２に垂直な面内とその面に直交する面内の光学的な構成を示したものである。
【００３１】
図８（ａ）では、ます回転軸２に対して垂直な面内の構成を説明する。この図８（ａ）では、説明しやすくするため、光路を展開して示している。入射光７は、光走査手段１に入射して、偏向点１ａに入射する。第１の光学系３は、２つの光学面３ａ，３ｂを有しており、この２つの面は、回転軸２に垂直な面内におけるアフォーカル系を構成するとともに、偏向点１ａと共役な５ａという点を構成する。また、第２の光学系６も、光学面６ａ，６ｂ．を有しており、これらは、第１の光学系と同様に、アフォーカル光学系を構成するとともに、５ａと共役な点（偏向点１ｂ）を再び光走査手段上に形成している。
【００３２】
第１、第２の光学系とも、等倍のアフォーカル系を構成している。このような構成で、光走査手段１がθ傾くと、光走査手段１を出射して第１の光学系に入射する光は、その２倍の２θ偏向される。さらに第２の光学系を介して、再び光走査手段１に入射するので、偏向角は４θとなる。
【００３３】
図８（ｂ）は、回転軸２を含む平面内での光学的構成を示したものである。この断面においては、第１、第２の光学系は、光学的なパワーを有さない点が、実施例１と異なる点である。したがって、この断面内では、光束は平行光として記述される。
【００３４】
第１、第２の光学系の間には反射手段４（反射面４ａ．４ｂ）が形成されており、これにより、光走査手段１上の第１の偏向点１ａと第２の偏向点１ｂとを光走査手段上において回転軸２の方向に有限距離離すことができるため、光路の干渉を無くすことができる。
【００３５】
本実施例においては、第１と第２の光学系を別のものにしたが、同じもので構成してもよく、さらに第１と第２の光学系を１体としても良い。特に本実施例においては、第１、第２の光学系を共にシリンドリカルレンズで構成しているため、容易に２つの光学系を一体的に構成することができる。
【００３６】
また、本実施例においては、第１、第２の光学系を屈折面として記述したが、光学的な条件を満たせば反射面として構成することも可能である。
【００３７】
また、第１、第２の実施例においては、第１、第２の光学系がそれぞれ、２つの断面にパワーを有する場合と、シリンドリカルレンズとして構成される場合について示したが、第１の光学系あるいは、第２の光学系のみをシリンドリカルレンズとして構成しても同様の効果が得られる。
【００３８】
また、第１と第２の光学系に関して、等倍のアフォーカル光学系として、実施例を記述したが特に等倍に限定するものではない。
【００３９】
（第３の実施例）
本発明にかかる第３の実施例を図１０に示す。
【００４０】
本実施例は、実施例１あるいは実施例２のような光走査光学系を第１の光走査手段とし、この第１の光走査手段に、第１の光走査手段の走査方向とは垂直な方向に光を走査する第２の光走査手段９の走査面９ａを組み合わせることにより、２次元的に光を走査することが可能な光走査光学系を構成した例である。実施例１、２と同付番のものは、同じ機能を表すものであり説明は省略する。光走査手段１に入射した入射光７は、第１の光学系、反射手段、第２の光学系を介して再度光走査手段に入射し、射出光８として光走査手段１より射出する。光走査手段１は、反射面を有する光学系であり、その機械的偏向角θの４倍の４θだけ入射光を偏向することができる。
【００４１】
光走査手段１から出てきた射出光８は、第２の光走査手段９の走査面９ａ上に、第１の光走査手段による走査位置に応じて、図１０のように異なる点で偏向されて、投影光９ｂ、９ｃ、９ｄとなってスクリーン（被投影面）１２上に投影される。図１０において、第１の光走査手段１は、スクリーン上に投影される光を走査方向１１の方向に走査するようになっており、第２の光走査手段９は、スクリーン上に投影される光を走査方向１０の方向に走査することができるように構成されている。
【００４２】
本実施例で第２の光走査手段９は、第１の光走査手段１と同様のＭＥＭＳの光走査手段であっても良いが、電磁モータ等でミラーの向きを調整するような構成としても良い。但し、第２の光走査手段９上で光が当たる領域は、第２の光走査手段９の実質的に回転軸上であることが好ましい。従って、第２の光走査手段に関しても、光走査手段に光が入射する偏向点は、実質的に第２の光走査手段の回転軸上にあって、偏向点の位置は第２の光走査手段が回転軸を中心に回転したとしても、実質的に一定（動かない）ことが好ましい。
【００４３】
（第４の実施例）
図１１は第４の実施例の概要図である。この第４の実施例は、第１、２の光走査光学系を用いた画像投影装置の例である。図１１中、１７は実施例１、または２にかかる光走査光学系であり、光走査光学系１７に入射する入射光７を走査し射出光８（８ａ、８ｂ、８ｃ）となる。入射光７は、光源１３から放射した光線を光学系１４を介して、収束光として被走査面１２上に集光するように構成されている。走査光学系１７は、いわゆるポストオブジェクティブ型の走査系を構成しているが、これに限定するものではない。走査光学系１７中の光走査手段には、駆動回路１８が電気的に接続されており、また光源１３は駆動回路１６が接続されており変調できるようになっている。また、それらは装置駆動回路に接続されている。被走査面１２上に所望の画像を形成するように、光源、光走査手段は同期して制御されるように構成されている。
【００４４】
（第５の実施例）
図１２は第５の実施例の概要図である。この第５の実施例は、第３の光走査光学系を用いたが像投影装置の例である。
【００４５】
図１２は、３つの互いに異なる波長の光を放射する光源からの光を色合成するための色合成系２０を有しており、および、光走査光学系１７が、実施例３に示したように互いに直交する２方向に走査する第１の光走査手段１７ａ、と第２の光走査手段１７ｂにより構成されているものである。第１の光走査手段１７ａは、実施例１、２で示したような光走査手段である。図１２では、被走査面（被投影面）１２はスクリーンなどの２次元のエリアである。光源１３ｒ、１３ｇ、１３ｂは駆動回路１６ｒ、１６ｇ、１６ｂにそれぞれ接続されており、光走査光学系１７中の光走査手段１７ａ、１７ｂと同期して、変調制御するように構成されている。不図示の所望の映像信号にもとづいて被走査面１２（スクリーン）上に画像を形成することができる。
【００４６】
光源１３ｒ、１３ｇ、１３ｂとして、赤色、緑色、青色の光源を用いれば、カラーの画像を表示することができる。光源としては、ＬＥＤ，半導体レーザや、波長変換素子を用いた光源などが使用できる。本実施例では、光源を直接変調する場合について述べたが、これに限定するものでではない。
【００４７】
第１、２、３実施例の光走査光学系においては、第１偏向点と共役な共役点５ａを形成する第１の光学系、そしてさらに共役点５ａに対して共役な第２偏向点を構成する第２の光学系を備える構成としていたが、この限りでは無く、共役点５ａの無い構成も可能である。例えば、第１実施例の図６において、第１の光学系の３ａと３ｂとの間、且つ第２の光学系の６ａと６ｂとの間に３ｂ及び６ａの方向に頂点を向けた円錐状の反射面（内面が反射面）を設ければ、本発明と同様の効果を奏することが可能である。尚、この円錐状の反射面はミラーで構成しても良いし、円錐状の内面で反射するプリズムを用いても構わない。
【００４８】
また、反射手段４の反射面は２面以上あるのが好ましいが１面でも構わない。
但し、反射手段４を１面の反射面で構成する場合は、光走査手段１に入射する入射光７を、回転軸２に対して垂直では無く、傾けて入射させるのが好ましい。そして、第１の光学系の光軸及び第２の光学系の光軸も回転軸２に対して傾ける方が好ましい。
【００４９】
また、第４、５の実施例に記載の画像投影装置に画像情報を供給する画像情報供給手段、例えばビデオ、カメラ、パーソナルコンピュータ、チューナー等、を接続し、その画像情報供給手段からの画像情報に従って画像投影装置が画像を投影するようにした画像表示システムを構築することも可能である。
【００５０】
本実施例のポイントは以下のように表すことが可能である。
「〔実施態様１〕  入射光を反射する反射面と、該反射面と実質的に同一面内にある回転軸を中心に前記反射面を回転させる手段とを有する光走査光学系であって、
前記反射面上の第１の偏向点で偏向された光を、前記反射面上の前記第１の偏向点とは異なる第２の偏向点に導く光学系を有し、該光学系が、前記第１の偏向点と前記第２の偏向点とが略共役となるように構成されていることを特徴とする光走査光学系。
〔実施態様２〕  前記第１の偏向点と前記第２の偏向点とは異なる点であることを特徴とする実施態様１記載の光走査光学系。
〔実施態様３〕  前記第１の偏向点と前記第２の偏向点とが、前記回転軸の方向にシフトした（ずれた）位置であることを特徴とする実施態様１又は２記載の光走査光学系。
〔実施態様４〕  入射光を反射する反射面と、該反射面と実質的に同一面内にある回転軸を中心に前記反射面を回転させる手段とを有する光走査光学系であって、前記反射面上の第１の偏向点で偏向された光を、前記反射面上の前記第１の偏向点とは異なる第２の偏向点に導く光学系を有し、前記第１の偏向点と前記第２の偏向点とが、前記回転軸の方向にシフトした（ずれた）位置であることを特徴とする光走査光学系。
〔実施態様５〕  前記第１の偏向点と前記第２の偏向点とが、前記回転軸と垂直な方向に関して実質的に同じ位置であることを特徴とする実施態様１乃至４いずれか１項記載の光走査光学系。
〔実施態様６〕  前記第１の偏向点と前記第２の偏向点とが、実質的に前記回転軸上にあることを特徴とする実施態様１乃至５いずれか１項記載の光走査光学系。
〔実施態様７〕  前記第１の偏向点及び前記第２の偏向点における光束の中心点が、前記反射面内において有限距離離れていることを特徴とする実施態様１乃至６いずれか１項記載の光走査光学系。
〔実施態様８〕  前記第１の偏向点と前記第２の偏向点とを略共役な関係にする光学系を有することを特徴とする実施態様４乃至７いずれか１項記載の光走査光学系。
〔実施態様９〕  前記光学系が、前記第１の偏向点と前記第２の偏向点の両者に対して略共役な点（共役点5a）を有することを特徴とする実施態様１、２又は８いずれか１項記載の光走査光学系。
〔実施態様１０〕  前記光学系が、前記第１の偏向点と略共役な点を形成する第１の光学系と、前記略共役な点と前記第２の偏向点とを略共役な関係にする第２の光学系とを有することを特徴とする実施態様１、２、８又は９いずれか１項記載の光走査光学系。
〔実施態様１１〕  前記光学系が、前記回転軸と垂直な方向に屈折力を有する光学系であることを特徴とする実施態様１，２，８，９，１０いずれか１項記載の光走査光学系。
〔実施態様１２〕  前記光学系が、前記回転軸と垂直な方向にのみ屈折力を有する光学系（シリンドリカルレンズ、或いはシリンドリカルレンズ群）であることを特徴とする実施態様１、２、８乃至１１いずれか１項記載の光走査光学系。
〔実施態様１３〕  前記第１の光学系から出射した光を前記第２の光学系に導く反射手段を備えていることを特徴とする実施態様１０記載の光走査光学系。
〔実施態様１４〕  前記反射手段は少なくとも１面の反射面を有することを特徴とする実施態様１３記載の光走査光学系。
〔実施態様１５〕  前記反射手段は２面以上の反射面を有することを特徴とする実施態様１３記載の光走査光学系。
〔実施態様１６〕  前記反射面は、前記回転軸を中心として、往復回転運動（回転方向に振動する）することを特徴とする実施態様１３乃至１５いずれか１項記載の光走査光学系。
〔実施態様１７〕  前記反射面と前記回転軸とが一体的に構成されていることを特徴とする実施態様１乃至１６いずれか１項記載の光走査光学系。
〔実施態様１８〕  光源からの光を実施態様１乃至１７いずれか１項記載の光走査光学系に導き、該光走査光学系からの光を被投影面上に投影する投影光学系を有する画像投影装置。
〔実施態様１９〕  複数の色光を発する光源からの、前記複数の色光を合成する色合成光学系を有することを特徴とする実施態様１８記載の画像投影装置。
〔実施態様２０〕  前記複数の色の光は、赤、緑、青の３色の光であることを特徴とする実施態様１９記載の画像投影装置。
〔実施態様２１〕  前記色合成光学系にはクロスダイクロイックプリズム、又は色合成面が交差しない色合成プリズムであることを特徴とする実施態様１９又は２０記載の画像投影装置。
〔実施態様２２〕  前記色合成プリズムは、３つ或いは４つのプリズムから成ることを特徴とする実施態様２１記載の画像投影装置。
〔実施態様２３〕  実施態様１８乃至２２いずれか１項記載の画像投影装置と、該が像投影装置に画像情報を供給する画像供給手段を有することを特徴とする画像表示システム。」
【００５１】
【発明の効果】
本発明によれば、簡易な構成で、偏向角が大きく、光路の干渉がない光走査光学系、及びそれを用いたが像投影装置を実現することができる。特にＭＥＭＳ技術を用いた光走査光学系において有効である。
【図面の簡単な説明】
【図１】従来例  ポリゴンミラーを用いた場合の偏向角拡大系
【図２】従来例  ポリゴンミラーを用いた場合の偏向角拡大系の別様態
【図３】従来例  ＭＥＭＳ光走査手段の例
【図４】従来例  ガルバノミラーを用いた場合の偏向角拡大系
【図５】従来例
【図６】本発明にかかる第１の実施例の構成図
【図７】本発明にかかる第１の実施例の説明図
【図８】本発明にかかる第２の実施例の構成図
【図９】本発明にかかる第２の実施例の説明図
【図１０】本発明にかかる第３の実施例の説明図
【図１１】本発明にかかる第４の実施例の光走査光学系のシステム概要
【図１２】
本発明にかかる第５の実施例の光走査光学系のシステム概要
【符号の説明】
１  光走査普段
１ａ  第１の偏向点
１ｂ  第２の偏向点
２  回転軸
３  第１の光学系
３ａ、３ｂ  第１の光学系の光学面
４  反射手段
５  展開時の共役位置
６  第２の光学系
６ａ、６ｂ  第２の光学系の光学面
７  入射光
８  射出光
１０  光偏向方向
１１  光偏向方向
１２  被走査面、スクリーン
１３  光源
１４  光学系
１６  駆動回路
１７  光走査光学系
１８  光走査手段制御回路
１９  制御回路
２０  色合成手段
【図１】
2004198500.tif 000003
【図２】
2004198500.tif 000004
【図３】
2004198500.tif 000005
【図４】
2004198500.tif 000006
【図５】
2004198500.tif 000007
【図６】
2004198500.tif 000008
【図７】
2004198500.tif 000009
【図８】
2004198500.tif 000010
【図９】
2004198500.tif 000011
【図１０】
2004198500.tif 000012
【図１１】
2004198500.tif 000013
【図１２】
2004198500.tif 000014